(57)【特許請求の範囲】
【請求項１】
被測定系の電流ならびに電圧を検出する検出手段と、
前記検出手段により検出された前記被測定系の電流ならびに電圧をデジタルデータに変換する符号化手段と、
コイルからなる電磁石という磁界発生回路であり、前記符号化手段により変換されたデジタルデータを磁気信号に変換し送出する送信手段と
を具備した測定部と、
磁界による信号を受信する磁界検出回路であり、前記測定部の送信手段から送出された磁気信号を検出する受信手段と、
前記受信手段により検出された、電流ならびに電圧に関するデジタルデータから電力量に関するデータを演算する電力演算手段と
を具備した演算部と、
少なくとも一方の面に磁性体からなるシートを有する、板状の絶縁材料からなる絶縁手段と
を具備し、
前記絶縁手段は、前記測定部の送信手段と前記演算部の受信手段との間に配置されて前記測定部の送信手段と前記演算部の受信手段とを磁気的な結合を強めるとともに電気的に絶縁することを特徴とする電力量計。
【請求項２】
前記受信手段の磁界検出回路は、コイルからなる電磁石やホール素子であることを特徴とする請求項１記載の電力量計。
【請求項３】
前記磁性体からなるシートは、フェライト、鉄、ケイ素鋼、パーマロイのうち少なくともひとつの粉状材料を含む樹脂からなることを特徴とする請求項１または請求項２記載の電力量計。
【請求項４】
前記磁性体からなるシートに含まれる粉状材料の粉径は１００μｍ以下であることを特徴とする請求項３記載の電力量計。
【請求項５】
前記送信手段は、プリント基板の配線パターンにて形成されたコイルからなることを特徴とする請求項１乃至４のいずれか１項記載の電力量計。
【請求項６】
前記受信手段が一定時間受信を行わなかったことを監視する監視手段と、
前記監視手段により前記受信手段が一定時間受信を行わなかったことが検出された場合に異常である旨を報知する報知手段と
を具備したことを特徴とする請求項１乃至５のいずれか１項記載の電力量計。
【請求項７】
前記測定部と前記演算部とを別のプリント基板に配置したことを特徴とする請求項１乃至６のいずれか１項記載の電力量計。
【発明の詳細な説明】
【技術分野】
【０００１】
本発明は被測定系の使用電力量等を測定する電力量計に関する。
【背景技術】
【０００２】
従来より、一般家庭や工場、事業所の使用電力量を測定する電力量計が普及してきてい
る。当該電力量計は被測定系の使用電力量を測定する使用量検出手段と、使用量検出手段
で検出した使用量をデータに編集する制御部と、制御部にて編集されたデータを表示する表示部とを具備している。（例えば特許文献１）
【特許文献１】特開２００４−２２６０９４公報（第１０頁、図２）
【発明の開示】
【発明が解決しようとする課題】
【０００３】
しかしながら、従来の電力量計は、被測定系の使用電力量を測定する使用量検出手段と、
使用量検出手段で検出した使用量をデータに編集する制御部ならびに制御部にて編集されたデータを表示する表示部とが電気的に絶縁されていなかった。そのため、落雷時等に、使用量検出手段を介し高電圧が印加され、制御部ならびに表示部等が破損され、データが消失されてしまうという問題点があった。
【０００４】
本発明は前記問題点に鑑み、雷やサージ等の不適切な高電圧が印加された場合でも、データの消失が低減されることが可能な電力量計を提供することを目的とする。
【課題を解決するための手段】
【０００５】
上記目的を達成するために、本発明による電力量計は、被測定系の電流ならびに電圧を検出する検出手段と、前記検出手段により検出された前記被測定系の電流ならびに電圧をデジタルデータに変換する符号化手段と、コイルからなる電磁石という磁界発生回路であり、前記符号化手段により変換されたデジタルデータを磁気信号に変換し送出する送信手段とを具備した測定部と、磁界による信号を受信する磁界検出回路であり、前記測定部の送信手段から送出された磁気信号を検出する受信手段と、前記受信手段により検出された、電流ならびに電圧に関するデジタルデータから電力量に関するデータを演算する電力演算手段とを具備した演算部と、少なくとも一方の面に磁性体からなるシートを有する、板状の絶縁材料からなる絶縁手段とを具備し、前記絶縁手段は、前記測定部の送信手段と前記演算部の受信手段との間に配置されて前記測定部の送信手段と前記演算部の受信手段とを磁気的な結合を強めるとともに電気的に絶縁することを特徴とする。
【発明の効果】
【０００６】
本発明によれば、雷やサージ等の不適切な高電圧が印加された場合でも、データの消失が低減されることが可能な電力量計を提供することができる。
【発明を実施するための最良の形態】
【０００７】
以下、本発明の実施例を説明する。
【実施例１】
【０００８】
本発明による電力量計の実施例１につき、図１を参照して説明する。図１は本発明による電力量計の実施例１を示す内部構成図である。なお、本実施例は単相三線式の電力量計について示されている。
図１において、１００は電力量計本体である。
【０００９】
１０１Ａ、１０１Ｂは端子部で、真鋳や銅等の導電性のある金属からなる導電部分が、フェノール樹脂やＰＢＴ樹脂等、絶縁性の高いプラスチック等の材質からなる固定部分に配置された構成からなり、外部の配電線を電力量計本体１００に接続する。端子部１０１Ａの１Ｓ、２Ｓ、３Ｓ各端子は電力供給会社から電力を受電する電源側配電線に、端子部１０
１Ｂの１Ｌ、２Ｌ、３Ｌ各端子は需要家内へ電力を供給する負荷側配電線に接続される。
【００１０】
１０２は電流・電圧測定部で、需要家にて消費される電流・電圧を測定し出力する。その内部は以下の構成からなる。
【００１１】
１０３、１０４は電流検出部で、シャント抵抗器やホール素子または電流トランス等により構成されており、電流検出部１０３は端子部１０１Ａの１Ｓと端子部１０１Ｂの１Ｌ間の電流（１側電流；Ａ１）を、電流検出部１０４は端子１０１Ａの３Ｓと端子部１０１Ｂの３Ｌ間の電流(３側電流；Ａ３)を、それぞれ検出し需要家の使用電流に正比例した低レベルの電圧信号に変換し出力する。
【００１２】
１０５、１０６は電圧検出部で、アテネッタ等の分圧抵抗器や電圧トランス等により構成されており、電圧検出部１０５は端子部１０１Ａの１Ｓと２Ｓ間の電圧（１側電圧；Ｖ１）を、電圧検出部１０６は端子部１０１Ａの３Ｓと２Ｓ間の電圧(３側電圧；Ｖ３)を、それぞれ検出し需要家の使用電圧に正比例した低レベルの電圧信号に変換し出力する。
【００１３】
１０７、１０８は符号化部で、アナログ−デジタル変換器等により構成されており、符号化部１０７は電流検出部１０３で検出された端子１Ｓ−１Ｌ間の電流（１側電流；Ａ１）を、符号化部１０８は電流検出部１０４で検出された端子３Ｓ−３Ｌ間の電流(３側電流
；Ａ３)を、それぞれアナログ−デジタル変換し、例えば１６ｂｉｔのデジタルデータと
して出力する。
【００１４】
１０９、１１０は符号化部で、アナログ−デジタル変換器等により構成されており、符号化部１０９は電圧検出部１０５で検出された端子１Ｓ−２Ｓ間の電圧（１側電圧；Ｖ１）を、符号化部１１０は電圧検出部１０６で検出された端子３Ｓ−２Ｓ間の電圧(３側電圧
；Ｖ３)を、それぞれアナログ−デジタル変換し、例えば１６ｂｉｔのデジタルデータと
して出力する。
【００１５】
１１２、１１３は送信部で、コイルからなる電磁石等の磁界発生回路により構成されており、送信部１１２は符号化部１０７から出力された端子１Ｓ−１Ｌ間の電流（１側電流；Ａ１）に関するデジタルデータを、送信部１１３は符号化部１０８から出力された端子３Ｓ−３Ｌ間の電流（３側電流；Ａ３）に関するデジタルデータを、磁界による信号にて送信している。送信部１１２、１１３は、符号化部１０７、１０８がハイレベルのデジタル信号を出力した場合は磁界を発生し、符号化部１０７、１０８がローレベルのデジタル信号を出力した場合は磁界を発生しないことで、ハイレベル、ローレベルに対応したデータを送信している。
【００１６】
１１４、１１５は送信部で、コイルからなる電磁石等の磁界発生回路により構成されており、送信部１１４は符号化部１０９から出力された端子１Ｓ−２Ｓ間の電圧（１側電圧；Ｖ１）に関するデジタルデータを、送信部１１５は符号化部１１０から出力された端子３Ｓ−２Ｓ間の電圧（３側電圧；Ｖ３）に関するデジタルデータを、磁界による信号にて送信している。送信部１１４、１１５は、符号化部１０９、１１０がハイレベルのデジタル信号を出力した場合は磁界を発生し、符号化部１０９、１１０がローレベルのデジタル信号を出力した場合は磁界を発生しないことで、ハイレベル、ローレベルに対応したデータを送信している。
【００１７】
１１６は演算部で、電流・電圧測定部１０２とは別のプリント基板に実装され需要家に関する使用量データを演算し表示等にて出力する。その内部は以下の構成からなる。
【００１８】
１１７、１１８は受信部で、コイルからなる電磁石やホール素子等の磁界検出回路により構成されており、受信部１１７は送信部１１２から送信された端子１Ｓ−１Ｌ間の電流（１側電流；Ａ１）に関するデジタルデータを、受信部１１８は送信部１１３から送信された端子３Ｓ−３Ｌ間の電流(３側電流；Ａ３)に関するデジタルデータを受信する。
【００１９】
１１９、１２０は受信部で、コイルからなる電磁石やホール素子等の磁界検出回路により構成されており、受信部１１９は送信部１１４から送信された端子１Ｓ−２Ｓ間の電圧（１側電圧；Ｖ１）に関するデジタルデータを、受信部１２０は送信部１１５から送信された端子３Ｓ−２Ｓ間の電圧(３側電圧；Ｖ３)に関するデジタルデータを受信する。
【００２０】
１２１は電力演算部で、デジタル乗算回路やＤＳＰ（デジタル・シグナル・プロセッサ）等により構成されており、受信部１１７により受信された１側電流（Ａ１）に関するデジタルデータと、受信部１１９により受信された１側電圧（Ｖ１)に関するデジタルデータ
とを乗算し、受信部１１８により受信された３側電流（Ａ３）に関するデジタルデータと、受信部１２０により受信された３側電圧（Ｖ３)に関するデジタルデータとを乗算し、
さらに両者を加算し、需要家の使用電力に正比例したデジタルデータ（Ａ１・Ｖ１＋Ａ３・Ｖ）に変換し出力する。
【００２１】
１２２は制御部でマイクロコンピュータ等により構成されており、電力演算部１２１から出力された需要家の使用電力に正比例したデジタルデータ（Ａ１・Ｖ１＋Ａ３・Ｖ３）の演算結果を使用量データとして編集し、記憶、表示、伝送を制御する。なお、ここで使用量データとは被測定系の総積算使用電力量ならびに各時間帯毎の時間帯使用量等、需要家の使用電力に関するデータをいう。
【００２２】
１２３は通信部で電波送受信回路やカレントループ等のインタフェース回路等により構成されており、制御部１２２による制御のもと、外部との通信を行う。
【００２３】
１２４は記憶部でＲＡＭのような半導体メモリにより構成されており、使用量データを記憶する。
【００２４】
１２５は表示部で液晶表示器等により構成されており、使用量データを制御部１２２の制御のもと表示する。
【００２５】
次に、本実施例の動作について図１を参照しつつ説明する。
【００２６】
電流・電圧測定部１０２は一枚のプリント基板、演算部１１６は別の一枚のプリント基板に配置されており、電流・電圧測定部１０２、演算部１１６は互いに雷やサージ等の高電圧に耐えられる距離を置いて取り付けられているものとする。
【００２７】
電流検出部１０３は、端子部１０１Ａの１Ｓと端子部１０１Ｂの１Ｌ端子間に流れる電流（１側電流；Ａ１）を検出し、需要家の使用電流に正比例した低レベルの電圧信号に変換し出力する。電流検出部１０３は、シャント抵抗器や電流トランスまたはホール素子等により構成されており、常時、需要家の使用電流に正比例した低レベルの電圧信号を符号化部１０７に対して出力している。
【００２８】
電圧検出部１０５は、端子部１０１Ａの１Ｓ−２Ｓ端子間に現れる電圧（１側電圧；Ｖ１）を検出し、需要家の使用電圧に正比例した低レベルの電圧信号に変換し出力する。電圧検出部１０５は、アテネッタ等の分圧抵抗器や電圧トランス等により構成されており、常時、需要家の使用電圧に正比例した低レベルの電圧信号を符号化部１０９に対して出力している。
【００２９】
符号化部１０７は、電流検出部１０３により出力された需要家の使用電流（１側電流；Ａ１）に正比例した低レベルの電圧信号をアナログ−デジタル変換し、例えば１６ｂｉｔのデジタルデータとして出力している。アナログーデジタル変換動作は、例えば１０００分の１秒ごとに行われている。
【００３０】
符号化部１０９は、電圧検出部１０５により出力された需要家の使用電圧（１側電圧；Ｖ１）に正比例した低レベルの電圧信号をアナログ−デジタル変換し、例えば１６ｂｉｔのデジタルデータとして出力している。アナログーデジタル変換動作は、例えば１０００分の１秒ごとに行われている。
【００３１】
送信部１１２は、符号化部１０７により変換された需要家の使用電流（１側電流；Ａ１）に関するデジタルデータを、磁界による信号にて受信部１１７に対し送信している。
【００３２】
送信部１１４は、符号化部１０９により変換された需要家の使用電圧（１側電圧；Ｖ１）に関するデジタルデータを、磁界による信号にて受信部１１９に対し送信している。
【００３３】
受信部１１７は、送信部１１２から送信された需要家の使用電流（１側電流；Ａ１）に関する磁界による信号を受信し電力演算部１２１に対し出力している。受信部１１７は、演算部１１６用プリント基板上に搭載されており、電流・電圧測定部１０２を搭載したプリント基板の送信部１１２に対応する箇所に配置されている。受信部１１７はコイルからなる電磁石やホール素子等の磁界検出回路等により構成されており、送信部１１２から送信された磁界による信号のみを受信し、他の送信部１１３、１１４、１１５から送信された磁界による信号を受信しない位置に配置されている。
【００３４】
受信部１１９は、送信部１１４から送信された需要家の使用電圧（１側電圧；Ｖ１）に関する磁界による信号を受信し、電力演算部１２１に対し出力している。受信部１１９は、演算部１１６用プリント基板上に搭載されており、電流・電圧測定部１０２を搭載したプリント基板の送信部１１４に対応する箇所に配置されている。受信部１１９はコイルからなる電磁石やホール素子等の磁界検出回路等により構成されており、送信部１１４から送信された磁界による信号のみを受信し、他の送信部１１２、１１３、１１５から送信された磁界による信号を受信しない位置に配置されている。
【００３５】
電流検出部１０４は、端子部１０１Ａの３Ｓと端子部１０１Ｂの３Ｌ端子間に流れる電流（３側電流；Ａ３）を検出し、需要家の使用電流に正比例した低レベルの電圧信号に変換し出力する。電流検出部１０４は、シャント抵抗器や電流トランスまたはホール素子等により構成されており、常時、需要家の使用電流に正比例した低レベルの電圧信号を符号化部１０８に対して出力している。
【００３６】
電圧検出部１０６は、端子部１０１Ａの３Ｓ−２Ｓ端子間に現れる電圧（３側電圧；Ｖ３）を検出し、需要家の使用電圧に正比例した低レベルの電圧信号に変換し出力する。電圧検出部１０６は、アテネッタ等の分圧抵抗器や電圧トランス等により構成されており、常時、需要家の使用電圧に正比例した低レベルの電圧信号を符号化部１１０に対して出力している。
【００３７】
符号化部１０８は電流検出部１０４により出力された需要家の使用電流（３側電流；Ａ３）に正比例した低レベルの電圧信号をアナログ−デジタル変換し、例えば１６ｂｉｔのデジタルデータとして出力している。アナログーデジタル変換動作は、例えば１０００分の１秒ごとに行われている。
【００３８】
符号化部１１０は電圧検出部１０６により出力された需要家の使用電圧（３側電圧；Ｖ３）に正比例した低レベルの電圧信号をアナログ−デジタル変換し、例えば１６ｂｉｔのデジタルデータとして出力している。アナログーデジタル変換動作は、例えば１０００分の１秒ごとに行われている。
【００３９】
送信部１１３は、符号化部１０８により変換された需要家の使用電流（３側電流；Ａ３）に関するデジタルデータを、磁界による信号にて受信部１１８に対し送信している。
【００４０】
送信部１１５は、符号化部１１０により変換された需要家の使用電圧（３側電圧；Ｖ３）に関するデジタルデータを、磁界による信号にて受信部１２０に対し送信している。
【００４１】
受信部１１８は、送信部１１３から送信された需要家の使用電流（３側電流；Ａ３）に関する磁界による信号を受信し電力演算部１２１に対し出力している。受信部１１８は、演算部１１６用プリント基板上に搭載されており、電流・電圧測定部１０２を搭載したプリント基板の送信部１１３に対応する箇所に配置されている。受信部１１８はコイルからなる電磁石やホール素子等の磁界検出回路等により構成されており、送信部１１３から送信された磁界による信号のみを受信し、他の送信部１１２、１１４、１１５から送信された磁界による信号を受信しない位置に配置されている。
【００４２】
受信部１２０は、送信部１１５から送信された需要家の使用電圧（３側電圧；Ｖ３）に関する磁界による信号を受信し、電力演算部１２１に対し出力している。受信部１２０は、演算部１１６用プリント基板上に搭載されており、電流・電圧測定部１０２を搭載したプリント基板の送信部１１５に対応する箇所に配置されている。受信部１２０はコイルからなる電磁石やホール素子等の磁界検出回路等により構成されており、送信部１１５から送信された磁界による信号のみを受信し、他の送信部１１２、１１３、１１４から送信された磁界による信号を受信しない位置に配置されている。
【００４３】
電力演算部１２１は、デジタル乗算回路やＤＳＰ（デジタル・シグナル・プロセッサ）等により構成されており、受信部１１７により受信された１側電流（Ａ１）に関するデジタルデータと、受信部１１９により受信された１側電圧（Ｖ１)に関するデジタルデータと
を乗算し、受信部１１８により受信された３側電流（Ａ３）に関するデジタルデータと、受信部１２０により受信された３側電圧（Ｖ３)に関するデジタルデータとを乗算し、さ
らに両者を加算し、需要家の使用電力に正比例したデジタルデータ（Ａ１・Ｖ１＋Ａ３・Ｖ３）に変換し制御部１２２に対し出力する。
【００４４】
制御部１２２はマイクロコンピュータ等により構成されており、電力演算部１２１から出力された需要家の使用電力に正比例したデジタルデータ（Ａ１・Ｖ１＋Ａ３・Ｖ３）を受信し、使用量データを算出する。ここで使用量データとは需要家の総積算使用電力量ならびに各時間帯毎の時間帯使用量等、需要家の使用電力に関するデータをいう。制御部１２２は算出した使用量データを記憶部１２４に記憶させ、表示部１２５に表示させる。
【００４５】
また、制御部１２２は受信部１１７、１１８、１１９、１２０がデータを受信しているかを常時監視しており、一定時間受信しなくなった場合は、電流・電圧測定部１０２に故障が発生したと想定し、その受信異常が発生した日時を異常データとして記憶部１２４に記憶させる。制御部１２２は、外部装置からの通信による要求があった場合に、または、電力量計本体に設けられたスイッチ（図中不示）が押された場合に、当該異常データを表示部１２５に表示させ、通信部１２３を介し伝送する。
【００４６】
通信部１２３は電波送受信回路やカレントループ等のインタフェース回路等により構成されており、制御部１２２による制御のもと、外部装置との通信を行う。通信部１２３は外部装置からの通信による要求に応じ、使用量データ、異常データ等のデータを送出する。
【００４７】
記憶部１２４はＲＡＭのような半導体メモリにより構成されており、制御部１２１による制御のもと、使用量データ、異常データ等のデータを記憶する。
【００４８】
表示部１２５は液晶表示器等により構成されており、制御部１２２による制御のもと、使用量データ、異常データ等のデータを表示する。
【００４９】
送信部１１２ならびに受信部１１７の詳細について図２を参照して説明する。
【００５０】
２０１はプリント基板で、印刷配線されたポリイミドやエポキシ等の樹脂からなる板により構成されており、電流・電圧測定部１０２が実装されている。送信部１１２は、需要家の使用電流（１側電流；Ａ１）に関するデータを磁界による信号にて送信している。なお送信部１１３、１１４、１１５（図２中不示）も同様である。
【００５１】
２０２はプリント基板で、印刷配線されたポリイミドやエポキシ等の樹脂からなる板により構成されており、演算部１１６が実装されている。受信部１１７は、送信部１１２に対応する位置に配置され、需要家の使用電流（１側電流；Ａ１）に関するデータにかかる磁界による信号を検出している。なお受信部１１８、１１９、１２０（図２中不示）も同様である。
【００５２】
２０３は絶縁部で、送信部１１２と受信部１１７とを電気的に絶縁している。
【００５３】
送信部１１２はコイルからなる電磁石等により構成されており、符号化部１０７によりアナログ−デジタル変換された需要家の使用電流（１側電流；Ａ１）に関する例えば１６ｂｉｔのデジタルデータを磁界によるシリアル信号にて受信部１１７に対し送信している。送信部１１２は、磁界を発生することによりハイレベルのデジタル信号に、磁界を発生しないことでローレベルのデジタル信号に対応し、ハイレベル、ローレベルに対応したデータを送信している。
【００５４】
受信部１１７はコイルからなる電磁石やホール素子等により構成されており、送信部１１２により発生された磁界を検出することにより、符号化部１０７によりアナログ−デジタル変換された需要家の使用電流（１側電流；Ａ１）に関する１６ｂｉｔ等のデジタルデータを、シリアル信号にて電力演算部１２１に対し伝達させている。
【００５５】
２０３は絶縁部で、ポリイミド等の絶縁部材からなる板の両面に、フェライト等の磁性材料からなるシートが貼り付けられた部材により構成されている。絶縁部２０３は、送信部１１２と受信部１１７とを電気的に絶縁するとともに、送信部１１２と受信部１１７との磁気的な結合を強めている。絶縁部２０３に貼り付けられたフェライト等の磁性体材料からなるシートは、送信部１１２のコイル断面積より小さな面積を有するものであり、これによりコイルに発生する磁束が集中して当該シートの張られた部分を通るようになり、磁束の漏れが低減されるため、送信部１１２と受信部１１７との磁気的な結合が強められる。また、フェライト等の磁性体材料からなるシートにかわり、鉄粉、ケイ素鋼粉、パーマロイ粉等が混入形成された、可塑性を有するプラスチックフィルム等を用いてもよい。なお、磁性体の表面積を増すことにより変換効率が向上されるため、鉄粉、ケイ素鋼粉、パーマロイ粉等の粒子径を１００μｍ以下の微細粒子とし、形成されたフィルム厚さを５ｍｍ以下とすることが望ましい。
【００５６】
本実施例の送信部１１２、１１３、１１４、１１５ならびに受信部１１７、１１８、１１９、１２０のコイルはプリント基板のパターンをスパイラル状にしたものであってもよい。また、両面パターン、多層パターンを持つプリント基板にて両面パターン、多層パターンをスパイラル状にし、コイルを形成してもよい。
【００５７】
本実施例を用いれば、電流・電圧測定部１０２と演算部１１６が、雷やサージに耐えうるよう電気的に絶縁されているため、電流・電圧測定部１０２に雷やサージ等の不適切な高圧電圧が印加された場合でも演算部１１６の回路が破壊されにくい。その結果、データの消失が低減されるようになる。なお、本実施例においては、電流・電圧測定部１０２と演算部１１６が別のプリント基板に配置されているが、両部の沿面距離をかせぐようにして同一プリント基板上に配置されるようにしてもよい。
【００５８】
また、本実施例を用いれば演算部１１６が、１側電圧Ｖ１、３側電圧Ｖ３と電気的に絶縁されているため、例えば接地電位にある外部機器が通信部１２３に接続された場合であっても、地絡することなく安全に使用することが可能である。特に電圧検出部１０５、１０６にアッテネッタ等の分圧抵抗が、電流検出部１０３、１０４にシャント抵抗器が用いられた場合、後段の内部回路は入力された１側電圧Ｖ１、３側電圧Ｖ３付近の電位にて動作することになる。従って、入力電圧から絶縁されることなく内部回路が構成された場合、接地付近の電位を持つ外部機器が接続されれば地絡してしまうという問題点があった。本実施例を用いれば、演算部１１６の受信部１１７、１１８、１１９、１２０が、電流・電圧測定部１０２の送信部１１２、１１３、１１４、１１５から電気的に絶縁されており、その結果、１側電圧Ｖ１、３側電圧Ｖ３と電気的に絶縁されているため、例えば外部機器が通信部１２３に接続された場合であっても、当該外部機器にて地絡が発生することなく安全に使用することが可能である。
【００５９】
以上のように本発明を用いれば、雷やサージ等の不適切な高電圧が印加された場合でも、データの消失が低減されることが可能な電力量計を提供することができる。
【図面の簡単な説明】
【００６０】
【図１】本発明による電力量計の実施例１の構成を示す内部構成図
【図２】送信部１１２ならびに受信部１１７の詳細構造を示す図
【符号の説明】
【００６１】
１００    電力量計本体
１０１Ａ、１０１Ｂ    端子部
１０２    電流・電圧測定部
１０３、１０４    電流検出部
１０５、１０６    電圧検出部
１０７、１０８、１０９、１１０    符号化部
１１２、１１３、１１４、１１５    送信部
１１６    演算部
１１７、１１８、１１９、１２０    受信部
１２１    電力演算部
１２２    制御部
１２３    通信部
１２４    記憶部
１２５    表示部
２０１、２０２    プリント基板
２０２    絶縁部
【図１】
0005100456.tif 000002
【図２】
0005100456.tif 000003